(57)【要約】【課題】強度や剛性を低下させることなく、背中の形状に沿うように後方に効果的に撓みうるようにし、快適な座り心地が得られるようにした椅子の背板を提供する。【解決手段】背凭れフレームにより支持された背枠１２の内側に、可撓性の背当て部１３を設けた椅子の背板において、背当て部１３における上下方向の中央部の厚さを、左右両側部が薄く、左右方向の中央部が最大となるように、左右両側部から中央部に向かって漸次大とする。【選択図】  図４
2008119247.tif 000002
【特許請求の範囲】
【請求項１】
背凭れフレームにより支持された背枠の内側に、可撓性の背当て部を設けた椅子の背板において、前記背当て部における上下方向の中央部の厚さを、左右両側部が薄く、左右方向の中央部が最大となるように、左右両側部から中央部に向かって漸次大としたことを特徴とする椅子の背板。
【請求項２】
背凭れフレームにより支持された背枠の内側に、可撓性の背当て部を設けた椅子の背板において、前記背当て部における左右方向の中央部の厚さを、上下両端部が薄く、上下方向の中央部が最大となるように、上下両方向から中央部に向かって漸次大としたことを特徴とする椅子の背板。
【請求項３】
背凭れフレームにより支持された背枠の内側に、可撓性の背当て部を設けた椅子の背板において、前記背当て部における中央部の厚さを、左右両側部が薄く、左右方向の中央部が最大となるように、左右両側部から中央部に向かって漸次大とし、かつ上下両端部が薄く、上下方向の中央部が最大となるように、上下両方向から中央部に向かって漸次大としたことを特徴とする椅子の背板。
【請求項４】
背当て部に、上下及び左右方向に並ぶ多数の縦長スリット状の開口を穿設してなる請求項１〜３のいずれかに記載の椅子の背板。
【請求項５】
左右に隣接する開口の位置を、交互に上下に異ならせてなる請求項４記載の椅子の背板。
【請求項６】
背当て部の後面に、前後方向に長い長方形断面をなすリブを、上下方向に連続するようにして、左右方向に所定間隔おきに連設することにより、背当て部の横断面形状を、平面視後向きコ字状とし、かつ互いに隣接するリブ間における背当て部の薄肉部に、開口を穿設してなる請求項４または５記載の椅子の背板。
【発明の詳細な説明】
【技術分野】
【０００１】
本発明は、背凭れフレームに設けられ、着座者の背中を支持する可撓性の背当て部を有する椅子の背板に関する。
【背景技術】
【０００２】
この種の椅子の背板としては、例えば特許文献１及び２に記載されているものがある。
【特許文献１】特開２００２−１２５７９７号公報
【特許文献１】特開２００５−１６０５５８号公報 (図１０〜図１７)
【発明の開示】
【発明が解決しようとする課題】
【０００３】
上記特許文献１及び２に記載されている背板においては、背板全体に多数の開口を形成し、背中を押し当てた際に、背板が後方に撓むようにしているが、いずれも、背板の厚さは、ほぼ均一に形成されているため、背板全体が、背中の形状に沿うように後方に効果的に撓まず、快適な座り心地が得られない。
【０００４】
この問題に対処するためには、背板を薄肉として、後方に撓み易くすればよいが、このようにすると、背板の強度や剛性が低下して、耐久性が損なわれるとともに、撓みすぎて、座り心地が逆に悪くなることもある。
【０００５】
本発明は、上記問題点に鑑みてなされたもので、強度や剛性を低下させることなく、背中の形状に沿うように後方に効果的に撓みうるようにし、快適な座り心地が得られるようにした椅子の背板を提供することを目的としている。
【課題を解決するための手段】
【０００６】
本発明によると、上記課題は、次のようにして解決される。
（１）背凭れフレームにより支持された背枠の内側に、可撓性の背当て部を設けた椅子の背板において、前記背当て部における上下方向の中央部の厚さを、左右両側部が薄く、左右方向の中央部が最大となるように、左右両側部から中央部に向かって漸次大とする。
【０００７】
（２）背凭れフレームにより支持された背枠の内側に、可撓性の背当て部を設けた椅子の背板において、前記背当て部における左右方向の中央部の厚さを、上下両端部が薄く、上下方向の中央部が最大となるように、上下両方向から中央部に向かって漸次大とする。
【０００８】
（３）背凭れフレームにより支持された背枠の内側に、可撓性の背当て部を設けた椅子の背板において、前記背当て部における中央部の厚さを、左右両側部が薄く、左右方向の中央部が最大となるように、左右両側部から中央部に向かって漸次大とし、かつ上下両端部が薄く、上下方向の中央部が最大となるように、上下両方向から中央部に向かって漸次大とする。
【０００９】
（４）上記(１)〜(３)項のいずれかにおいて、背当て部に、上下及び左右方向に並ぶ多数の縦長スリット状の開口を穿設する。
【００１０】
（５）上記(４)項において、左右に隣接する開口の位置を、交互に上下に異ならせる。
【００１１】
（６）上記(４)または(５)項において、背当て部の後面に、前後方向に長い長方形断面をなすリブを、上下方向に連続するようにして、左右方向に所定間隔おきに連設することにより、背当て部の横断面形状を、平面視後向きコ字状とし、かつ互いに隣接するリブ間における背当て部の薄肉部に、開口を穿設する。
【発明の効果】
【００１２】
請求項１記載の発明によれば、背当て部の左右方向の中央部の撓み剛性が、左右両側部よりも大きくなり、左右両側部が、中央部よりも後方に撓み易くなる。    その結果、背当て部は、背中の形状に沿うように、すなわち、背中の両側を抱え込むようにして効果的に撓むので、背中全体が安定よく支持され、快適な座り心地が得られる。
また、背中が強く押し当たる背当て部の上下方向の中央部が、過度に後方に撓むのが抑えられるので、その部分の強度が低下することはない。
【００１３】
請求項２記載の発明によれば、背当て部の上下方向の中央部の撓み剛性が、上下両端部よりも大きくなり、背中が強く押し当たる背当て部の左右方向の中央部が、後方に過度に撓むのを抑えることができるので、背中の中央部が快適に支持され、かつ背当て部の中央部の強度が低下することもない。
【００１４】
請求項３記載の発明によれば、背当て部における左右方向の中央部と上下方向の中央部の撓み剛性が大となり、それを囲む背枠側の周端部が撓み易くなるため、背当て部の中央部は、その部分の過度の撓みを抑えながら、背中の形状に沿うように、後方に三次元状に撓み、より快適な座り心地が得られる。
また、背中が強く押し当たる背当て部の中央部の強度が低下することもない。
【００１５】
請求項４記載の発明によれば、背当て部は、上下方向に並ぶ縦長スリット状の開口を中心として、後方に撓み易くなるため、背当て部を厚めに形成して強度を高め、耐久性を向上させることができる。
また、背当て部は、通気性を有するようになるので、背中が汗ばむことはない。
【００１６】
請求項５記載の発明によれば、上下に並ぶ開口間の連結部が、左右方法に沿って上下に交互にずれ、横一直線状並ぶことがないので、多数の縦長スリット状の開口を穿設しても、背当て部の強度が低下することはない。
【００１７】
請求項６記載の発明によれば、背当て部は、その幅方向と直交する前後方向の曲げ剛性が大となるので、背当て部に多数の開口を穿設したにも拘わらず、その強度は十分に確保される。
また、開口は、両リブ間の背当て部の薄肉部に穿設され、かつ背当て部の横断面形を、後向きコ字状断面としているので、背当て部は、その後面側が開口を中心として外開き状に拡開し、後方に撓み易くなる。従って、リブを設けて背当て部の曲げ剛性を大としても、快適な座り心地感が損なわれる恐れはない。
【発明を実施するための最良の形態】
【００１８】
以下、本発明の実施形態を、図面に基づいて説明する。
図１は、本発明の背板を備える椅子の側面図、図２は、背板の正面図、図３は、同じく背板の後面図である。
【００１９】
椅子１は、先端にキャスタ２が取付けられた放射方向を向く５本の脚杆３を有する脚体４と、その中心に立設され、内部に収容されたガススプリング（図示略）により伸縮可能な脚柱５と、この脚柱５の上端に後端部が固着された支基６とを備えている。
【００２０】
支基６の前端には、上方を向く座支持フレーム７の下端が取付けられ、また支基６における脚柱５よりもやや前方の両側部には、正面視下向きコ字状をなすとともに、側面視概ね前向きくの字形をなす背凭れフレーム８における左右の側部フレーム８aの前下端が、左右方向を向く枢軸９回りに回動可能に取付けられている。背凭れフレーム８は、支基６の内部に収容された付勢手段(図示略）により、常時前上方に付勢されている。
【００２１】
上記座支持フレーム７の前端部上面により、座体１０の前端部下面の左右両側部が支持され、また、座体１０の後端部の左右両側部下面が、上記左右の側部フレーム８aの前端部の上面により支持されている。
【００２２】
背凭れフレーム８における左右の側部フレーム８aの上部には、本発明の背板１１が取付けられている。
背板１１は、図２及び図３に示すように、曲げ剛性の大きい正面視ほぼ方形をなす背枠１２と、それにより囲まれた可撓性の背当て部１３とからなり、全体が、合成樹脂により一体成形されている。
【００２３】
背枠１２の左右両側の裏面における上端部と後下方への屈曲部１４付近には、背板１１を、背凭れフレーム８の左右の側部フレーム８aの前面に取り付けるための左右１対ずつの取付部１５、１６が、後ろ向きに突設されている(図１参照）。
背当て部１３の全面には、縦長スリット状の多数の開口１７が、上下及び左右方向に一定間隔おきに規則正しい配列で穿設されている。すなわち、互いに隣接する左右の開口１７は、その上下寸法のほぼ半分の長さだけ上下位置を交互に異ならせた態様で、左右方向に食い違い状に近接して穿設され、かつ上下の各開口１７は、互いに近接して一直線状に並んで形成されている。開口１７をこのような配列とすると、上下に並ぶ開口間の連結部が、左右方向に沿って上下に交互にずれ、横一直線状に並ぶことがないので、多数の縦長スリット状の開口１７を穿設しても、背当て部１３の強度が低下することはない。
【００２４】
図４に示すように、背当て部１３の上端部から、屈曲部１４付近までの中間部、すなわち、背中が当たる上下方向の中央部の厚さは、左右両側部が薄く、中央部が最大となるように、両側部から中央部に向かって漸次大とされ、また同じく、左右方向の中央部の厚さは、図５に示すように、上下の端部が薄く、中央部が最大となるように、上下方向の中央部に向かって漸次大とされている。
【００２５】
さらに、図６及び図７に拡大して示すように、背当て部１３は、その後面に、前後方向に長い長方形断面をなすリブ１８を、上下方向に連続するようにして、左右方向に所定間隔おきに連設することにより、横断面形が、平面視後向コ字状とされている(図４参照）。上記開口１７は、互いに隣接するリブ１８間の薄肉部１９に穿設されている。
【００２６】
以上説明したように、上記実施形態の背板１２においては、背中により押圧される背当て部１３における上下方向の中央部の厚さを、左右両側部が薄く、左右方向の中央部が最大となるように、両側部から中央部に向かって漸次大としたことにより、中央部の撓み剛性が左右両側部よりも大となり、図４の２点鎖線で示すように、左右両側部が中央部よりも後方に撓み易くなる。これにより、背当て部１３の上下方向の中央部は、背中の形状に沿うように、すなわち、背中の左右両側を抱え込むようにして撓み、背中全体が安定よく支持されることにより、快適な座り心地が得られる。
【００２７】
また、背当て部１３における背中が当たる左右方向の中央部の厚さを、上下方向の中央部に向かって漸次大とし、その部分の撓み剛性を大きくしているので、図５の２点鎖線に示すように、背中が強く当たる中央部が、後方に凸曲面状に過度に撓むのが防止される。従って、背中の中央部が快適に支持され、かつ背当て部１３の強度が低下する恐れもない。
【００２８】
さらに、背当て部１３の後面に、前後方向に長い長方形断面をなす多数のリブ１８を、上下方向に連続するように突設しているため、背当て部１３は、その幅方向と直交する前後方向の曲げ剛性が高くなり、多数の開口１７を穿設したにも拘わらず、背当て部１３の強度は大きくなる。しかも、背当て部１３の横断面形は、後向コ字状とされ、かつ互いに隣接するリブ１８間の薄肉部１９に、スリット状の開口１７を穿設しているので、背当て部１３の後面側が、開口１７を中心として外開き状に拡開し、後方に撓み易くなる。
【００２９】
本発明は、上記実施形態に限定されるものではない。
上記実施形態では、背当て部１３の左右に隣接する開口１７を、左右方向に食い違い状に上下位置を異ならせて穿設しているが、上下方向に並ぶ各開口１７の上下両端を左右方向に整合させて穿設してもよい。また、開口１７の上下寸法の異なるものを、適宜組み合わせて配列してもよい。
さらに、上記のような開口１７を設けないで、単に板状とした背当て部１３の厚さを、上記実施形態のように異ならせて実施することもある。
【図面の簡単な説明】
【００３０】
【図１】本発明の背板を備える椅子の側面図である。
【図２】背板の正面図である。
【図３】同じく、後面図である。
【図４】図２のIV-IV線の拡大横断端面図である。
【図５】同じく、V-V線の拡大縦断端面図である。
【図６】背当て部の中央部の一部の拡大正面図である。
【図７】図６のVII-VII線の拡大横断平面図である。
【符号の説明】
【００３１】
１  椅子
２  キャスタ
３  脚杆
４  脚体
５  脚柱
６  支基
７  座支持フレーム
８  背凭れフレーム
８a 側部フレーム
９  枢軸
１０座体
１１背板
１２背枠
１３背当て部
１４屈曲部
１５取付部
１６取付部
１７開口
１８連結片
１９薄肉部
【図１】
2008119247.tif 000003
【図２】
2008119247.tif 000004
【図３】
2008119247.tif 000005
【図４】
2008119247.tif 000006
【図５】
2008119247.tif 000007
【図６】
2008119247.tif 000008
【図７】
2008119247.tif 000009